(57)【要約】【課題】便器の水洗音がトイレの外に漏れ出るのを抑制しつつ、トイレを快適に使用することができるトイレの通気システムを提供する。【解決手段】建物には、トイレ１１と、トイレ１１に隣接する廊下１２とが設けられている。廊下１２からトイレ１１へ出入りするための出入口１５にはドア１６が設けられている。そのドア１６の下端と床面２１との間には通気口２３が形成されている。通気口２３には、当該通気口２３を開閉する開閉体４３が設けられ、その開閉体４３が開閉駆動手段により開閉駆動される。そして、水洗ボタンの操作に基づいて、開閉体４３が閉状態とされるよう開閉駆動手段が制御される。【選択図】      図２
2016211201.tif 000002
【特許請求の範囲】
【請求項１】
操作部による水洗操作に基づき水洗が行われる水洗式の便器が設置されたトイレを備える建物に適用され、
前記トイレとその隣室とを連通する通気口と、
前記通気口を開閉する開閉部材と、
前記開閉部材を開閉駆動する開閉駆動手段と、
前記開閉駆動手段を駆動制御する開閉制御手段と、を備え、
前記開閉制御手段は、前記操作部による前記水洗操作に基づいて、前記開閉部材を閉状態とするよう前記開閉駆動手段を制御する閉鎖制御を実施することを特徴とするトイレの通気システム。
【請求項２】
前記トイレ内の空気を屋外へ排出する換気装置と、
前記操作部による前記水洗操作に基づいて、トイレ内の空気の屋外への排出を停止するよう前記換気装置を制御する換気制御手段と、
を備えることを特徴とする請求項１に記載のトイレの通気システム。
【請求項３】
前記操作部による前記水洗操作に基づいて、前記便器に水洗用の洗浄水を供給する水供給手段と、
前記水洗操作に基づき行われる前記開閉制御手段による前記閉鎖制御により、前記開閉部材が前記閉状態に移行したことを判定する閉状態判定手段と、
前記閉状態判定手段により前記開閉部材が前記閉状態に移行したと判定された場合に、前記水供給手段による前記便器への洗浄水の供給を開始する水供給制御手段と、
を備えることを特徴とする請求項１又は２に記載のトイレの通気システム。
【請求項４】
前記操作部による前記水洗操作に基づいて、前記便器に水洗用の洗浄水を供給する水供給手段として、給水源より供給される水を蓄えるとともに、その蓄えた水を前記洗浄水として前記便器に供給する水タンクを有しており、
前記水洗操作に基づいて前記水タンクから前記洗浄水が前記便器に供給されると、それに連動して前記水タンクには前記給水源から水が供給されるようになっており、
前記給水源から前記水タンクへの給水が完了したことを判定する給水完了判定手段を備え、
前記開閉制御手段は、前記給水完了判定手段により前記水タンクへの給水が完了したと判定された場合に、前記開閉部材を開状態とするよう前記開閉駆動手段を制御することを特徴とする請求項１乃至３のいずれか一項に記載のトイレの通気システム。
【請求項５】
前記隣室から前記トイレに出入りするための出入口と、
その出入口を開閉する開き戸からなる開閉扉とを備え、
前記開閉扉の下端と床面との間には所定の隙間が形成されており、
前記開閉部材は、前記開閉扉及び前記床のいずれか一方に設けられ、前記隙間を閉鎖する閉位置と、前記隙間を開放する開位置との間で動作可能とされており、
前記開閉扉が閉められている扉閉状態では、前記隙間が前記通気口として機能するとともに、その扉閉状態において前記開閉部材が前記開位置と前記閉位置との間で動作されることで前記通気口が開閉されるようになっており、
前記扉閉状態における前記開閉制御手段による前記閉鎖制御の実施時において、前記開閉扉が開動作されると、それに伴い前記開閉部材を前記開位置に退避させるとともに、その後前記開閉扉が前記扉閉状態とされると、前記開閉部材を前記閉位置に復帰させる退避手段を備えることを特徴とする請求項１乃至４のいずれか一項に記載のトイレの通気システム。
【請求項６】
前記開閉駆動手段は、
前記開閉扉及び前記床のうち、前記開閉部材が設けられた前記一方に設けられ、前記開閉部材を前記開位置に向けて付勢する付勢部材と、
他方に設けられ、前記開閉扉の前記扉閉状態で前記開閉部材と上下に対向する位置に配置されるとともに、通電されることで磁力を発生しその磁力によって前記開閉部材を前記付勢部材の付勢力に抗して前記閉位置に吸引するソレノイドと、を有しており、
前記開閉制御手段は、前記ソレノイドに通電することにより前記閉鎖制御を実施し、
前記退避手段は、前記閉鎖制御の実施時において、前記開閉扉が開動作されることで前記ソレノイドと前記開閉部材とが上下に対向しない位置関係になって、前記ソレノイドの磁力が前記開閉部材に及ばなくなることで、前記開閉部材を前記付勢部材の付勢力により前記開位置に退避させるとともに、その後、前記開閉扉が前記扉閉状態とされることにより前記ソレノイドと前記開閉部材とが上下に対向する位置関係になることで、前記ソレノイドの磁力により前記開閉部材を前記閉位置に復帰させることを特徴とする請求項５に記載のトイレの通気システム。
【請求項７】
前記開閉部材は前記開閉扉に設けられていることを特徴とする請求項５又は６に記載のトイレの通気システム。
【発明の詳細な説明】
【技術分野】
【０００１】
本発明は、トイレの通気システムに関する。
【背景技術】
【０００２】
一般に、トイレの出入口に設けられているドアと床面との間には所定の隙間が形成されており、その隙間がトイレ内の換気を行うための通気口として用いられている。その一方で、この通気口からはトイレ内の音が外部に漏れ出るおそれがあり、そのため従来より、かかる音漏れを防止するための遮音構造が種々提案されている。
【０００３】
この種の遮音構造として、特許文献１には、通気口を開閉する開閉部材を備えた構成が開示されている。この特許文献１のものは、通気口が開放された換気状態にある場合にドアが開閉されると、通気口が開閉部材により閉鎖されて遮音状態に移行し、その後、再びドアが開閉されると、通気口が開放されて換気状態に移行するようになっている。つまり、この特許文献１のものでは、ユーザがドアを開閉してトイレに入ると遮音状態に移行し、その後ユーザが再びドアを開閉してトイレから退出するまでの間、その遮音状態が継続されるようになっている。このため、トイレの使用時に発生する音がトイレの外に漏れるのを防止することが可能となっている。
【先行技術文献】
【特許文献】
【０００４】
【特許文献１】特開２００８−２８０７１４号公報
【発明の概要】
【発明が解決しようとする課題】
【０００５】
ところで、ユーザはトイレを使用（便器で排便）した後、便器を水洗すべくレバー等で水洗操作してからトイレから退出することになる。このため、ユーザがトイレから退出すると通気口が開放され換気状態に移行する上記特許文献１のシステムでは、通気口を通じて便器を水洗する音がトイレの外に漏れ出るおそれがある。
【０００６】
また、上記特許文献１のシステムでは、トイレの使用中は通気口が閉鎖されているため、トイレ内の換気を十分に行うことができないおそれがある。そうすると、トイレ内に臭いが滞留してトイレを快適に使用することができなくなるおそれがある。
【０００７】
本発明は、上記事情に鑑みてなされたものであり、便器の水洗音がトイレの外に漏れ出るのを抑制しつつ、トイレを快適に使用することができるトイレの通気システムを提供することを主たる目的とするものである。
【課題を解決するための手段】
【０００８】
上記課題を解決すべく、第１の発明のトイレの通気システムは、操作部による水洗操作に基づき水洗が行われる水洗式の便器が設置されたトイレを備える建物に適用され、前記トイレとその隣室とを連通する通気口と、前記通気口を開閉する開閉部材と、前記開閉部材を開閉駆動する開閉駆動手段と、前記開閉駆動手段を駆動制御する開閉制御手段と、を備え、前記開閉制御手段は、前記操作部による前記水洗操作に基づいて、前記開閉部材を閉状態とするよう前記開閉駆動手段を制御する閉鎖制御を実施することを特徴とする。
【０００９】
本発明によれば、操作部により便器の水洗操作が行われると、通気口が開閉部材により閉鎖されるため、水洗時の音が通気口を通じてトイレの外に漏れ出るのを抑制することができる。また、操作部の水洗操作をトリガとして通気口が閉鎖されるため、水洗操作前であるトイレ使用時（排便時）には通気口を開放しておくことができる。そのため、トイレ使用時にトイレに臭いが滞留するのを抑制することができる。これにより、水洗時の音漏れを抑制しながら、トイレを快適に使用することができる。
【００１０】
第２の発明のトイレの通気システムは、第１の発明において、前記トイレ内の空気を屋外へ排出する換気装置と、前記操作部による前記水洗操作に基づいて、トイレ内の空気の屋外への排出を停止するよう前記換気装置を制御する換気制御手段と、を備えることを特徴とする。
【００１１】
一般に、トイレには換気装置が設けられている。この換気装置を作動させることで、トイレ内には通気口を介して隣室の空気が取り込まれるとともに、その取り込まれた空気がトイレから屋外に排出されるようになっている。つまり、換気装置を用いてトイレ内の換気が行われるようになっている。そこで本発明では、このような構成にあって、操作部による便器の水洗操作に基づいて、換言すると、かかる水洗操作に基づき開閉部材により通気口が閉鎖される状況において、換気装置によるトイレ内の空気の屋外への排出を停止するようにしている。この場合、通気口が閉鎖されてトイレ内の換気を行うことができない状況であるにもかかわらず、換気装置を無駄に作動させてしまう不都合を回避することができる。そのため、省エネ効果を得ることができる。
【００１２】
第３の発明のトイレの通気システムは、第１又は第２の発明において、前記操作部による前記水洗操作に基づいて、前記便器に水洗用の洗浄水を供給する水供給手段と、前記水洗操作に基づき行われる前記開閉制御手段による前記閉鎖制御により、前記開閉部材が前記閉状態に移行したことを判定する閉状態判定手段と、前記閉状態判定手段により前記開閉部材が前記閉状態に移行したと判定された場合に、前記水供給手段による前記便器への洗浄水の供給を開始する水供給制御手段と、を備えることを特徴とする。
【００１３】
操作部による水洗操作に基づいて、開閉部材が閉状態に移行する上述の構成では、水洗操作が行われてから開閉部材が閉状態に移行するまでに所定の時間を要することが考えられる。そこで本発明では、この点に鑑みて、開閉部材が閉状態に移行したことを判定する判定手段を設け、同手段により開閉部材の閉状態への移行が判定された場合に、水供給手段による便器への洗浄水の供給を開始するようにしている。これにより、通気口を通じて水洗時の音がトイレ外に漏れてしまうのを確実に抑制することができる。
【００１４】
第４の発明のトイレの通気システムは、第１乃至第３のいずれかの発明において、前記操作部による前記水洗操作に基づいて、前記便器に水洗用の洗浄水を供給する水供給手段として、給水源より供給される水を蓄えるとともに、その蓄えた水を前記洗浄水として前記便器に供給する水タンクを有しており、前記水洗操作に基づいて前記水タンクから前記洗浄水が前記便器に供給されると、それに連動して前記水タンクには前記給水源から水が供給されるようになっており、前記給水源から前記水タンクへの給水が完了したことを判定する給水完了判定手段を備え、前記開閉制御手段は、前記給水完了判定手段により前記水タンクへの給水が完了したと判定された場合に、前記開閉部材を開状態とするよう前記開閉駆動手段を制御することを特徴とする。
【００１５】
水タンクに蓄えられた洗浄水により便器を水洗するトイレ構成では、便器を水洗すべく水タンクから洗浄水が便器に供給されると、それに連動して水タンクには給水源から水が供給され、その供給された水が洗浄水として水タンクに蓄えられる。かかる構成では、便器の水洗音だけでなく、水タンクへの給水音についてもトイレ外への音漏れが懸念される。
【００１６】
そこで本発明では、この点に鑑みて、給水源から水タンクへの給水が完了したことを判定する判定手段を設け、同手段により水タンクへの給水完了が判定された場合に開閉部材を開状態とするようにしている。この場合、水タンクへの給水が完了するまでは通気口が閉鎖された状態が維持されるため、水タンクへの給水音がトイレ外に漏れ出るのを抑制することができる。
【００１７】
第５の発明のトイレの通気システムは、第１乃至第４のいずれかの発明において、前記隣室から前記トイレに出入りするための出入口と、その出入口を開閉する開き戸からなる開閉扉とを備え、前記開閉扉の下端と床面との間には所定の隙間が形成されており、前記開閉部材は、前記開閉扉及び前記床のいずれか一方に設けられ、前記隙間を閉鎖する閉位置と、前記隙間を開放する開位置との間で動作可能とされており、前記開閉扉が閉められている扉閉状態では、前記隙間が前記通気口として機能するとともに、その扉閉状態において前記開閉部材が前記開位置と前記閉位置との間で動作されることで前記通気口が開閉されるようになっており、前記扉閉状態における前記開閉制御手段による前記閉鎖制御の実施時において、前記開閉扉が開動作されると、それに伴い前記開閉部材を前記開位置に退避させるとともに、その後前記開閉扉が前記扉閉状態とされると、前記開閉部材を前記閉位置に復帰させる退避手段を備えることを特徴とする。
【００１８】
トイレの出入口に設けられる開閉扉の下端と床面との間には所定の隙間が形成されている場合があり、その場合その隙間が通気口として利用される。このような場合、開閉部材としては、上記隙間を閉鎖する閉位置と、上記隙間を開放する開位置との間で動作可能な構成が採用されると考えられる。このような構成では、開閉部材が閉位置にある場合に開閉扉を開閉させると、開閉部材が床面や開閉扉の下端等に擦れて開閉が困難になるおそれがある。
【００１９】
そこで本発明では、このような点に鑑みて、開閉制御手段による閉鎖制御により開閉部材が閉位置にある場合において、開閉扉が開動作されると、それに伴い開閉部材を開位置に退避させるとともに、その後開閉扉が閉状態とされると、開閉部材を閉位置に復帰させる構成（退避手段）を採用している。これにより、ユーザが水洗操作を行った後トイレから退出すべく開閉扉を開け閉めする際には、一時的に開閉部材が開位置に退避されるため、かかる開閉扉の開け閉めを円滑に行うことができる。
【００２０】
第６の発明のトイレの通気システムは、第５の発明において、前記開閉駆動手段は、前記開閉扉及び前記床のうち、前記開閉部材が設けられた前記一方に設けられ、前記開閉部材を前記開位置に向けて付勢する付勢部材と、他方に設けられ、前記開閉扉の前記扉閉状態で前記開閉部材と上下に対向する位置に配置されるとともに、通電されることで磁力を発生しその磁力によって前記開閉部材を前記付勢部材の付勢力に抗して前記閉位置に吸引するソレノイドと、を有しており、前記開閉制御手段は、前記ソレノイドに通電することにより前記閉鎖制御を実施し、前記退避手段は、前記閉鎖制御の実施時において、前記開閉扉が開動作されることで前記ソレノイドと前記開閉部材とが上下に対向しない位置関係になって、前記ソレノイドの磁力が前記開閉部材に及ばなくなることで、前記開閉部材を前記付勢部材の付勢力により前記開位置に退避させるとともに、その後、前記開閉扉が前記扉閉状態とされることにより前記ソレノイドと前記開閉部材とが上下に対向する位置関係になることで、前記ソレノイドの磁力により前記開閉部材を前記閉位置に復帰させることを特徴とする。
【００２１】
本発明によれば、ソレノイドへの通電により開閉部材が閉位置に配置される閉鎖制御の実施時において、開閉扉が開動作されると、ソレノイドと開閉部材とが上下に対向しない位置関係になって、ソレノイドの磁力が開閉部材に及ばなくなる。その結果、開閉部材が付勢部材の付勢力により開位置へと退避される。その後、開閉扉が扉閉状態とされると、ソレノイドと開閉部材とが上下に対向する位置関係になって、ソレノイドの磁力により開閉部材が閉位置に復帰する。よって、この場合、上記第５の発明の退避手段を具体的に実現することができる。
【００２２】
第７の発明のトイレの通気システムは、第５又は第６の発明において、前記開閉部材は前記開閉扉に設けられていることを特徴とする。
【００２３】
開閉部材が床に設けられる構成では、開閉部材を開位置に退避させるにあたって、例えば床に開閉部材を収容する収容溝を設け、その収容溝内（開位置）に開閉部材を退避させる等する必要がある。この場合、床側の構成が煩雑となるおそれがあり、床上を歩いてトイレへ出入りするにあたって不都合が生じ易い。この点本発明では、開閉部材を床ではなく開閉扉に設けたため、かかる不都合を抑制しながら、上記第５の発明の効果を得ることができる。
【図面の簡単な説明】
【００２４】
【図１】トイレ周辺を示す縦断面図。
【図２】ドアの下部周辺を示す正面図であり、（ａ）が通気口が開放された状態を示し、（ｂ）が通気口が閉鎖された状態を示している。
【図３】ドアの下端部周辺を拡大して示す縦断面図であり、（ａ）が通気口が開放された状態を示し、（ｂ）が通気口が閉鎖された状態を示している。
【図４】トイレ通気システムの電気的構成を示す図。
【図５】通気制御処理の内容を示すフローチャート。
【図６】トイレ通気システムにより通気制御処理が行われる場合の作用を説明するためのタイムチャート。
【図７】他の実施形態におけるドアの下部周辺を示す正面図であり、（ａ）が通気口が開放された状態を示し、（ｂ）が通気口が閉鎖された状態を示している。
【発明を実施するための形態】
【００２５】
以下に、本発明を具体化した一実施の形態について図面を参照しつつ説明する。なお、図１は、トイレ周辺を示す縦断面図である。
【００２６】
図１に示すように、住宅等の建物１０には、トイレ１１と、そのトイレ１１に隣接する廊下１２（隣室に相当）とが設けられている。トイレ１１と廊下１２とは仕切壁１４により仕切られており、その仕切壁１４には廊下１２からトイレ１１へ出入りするための出入口１５が形成されている。出入口１５には開閉扉としてのドア１６が設けられており、そのドア１６により出入口１５が開閉される。ドア１６は開き戸よりなり、廊下１２側に回動することで開かれる。詳しくは、出入口１５の周縁部にはドア枠１８が設けられており、そのドア枠１８は出入口１５の上縁部に設けられた上枠１８ａと、出入口１５の各側縁部に設けられた一対の縦枠１８ｂとを有している。そして、そのドア枠１８の内側にドア１６が配設されている。
【００２７】
ドア１６は、その下端がアンダーカットされている。これにより、ドア１６の下端と床面２１との間には所定の隙間２２が形成されている。ドア１６が閉められた状態では、この隙間２２がトイレ１１と廊下１２とを通気可能に連通する通気口２３となる。
【００２８】
トイレ１１は、外壁部２４によって屋外と仕切られている。外壁部２４には、トイレ１１と屋外とを連通する開口部２５が形成されている。この開口部２５には、換気装置２６が設けられている。換気装置２６は、例えば換気扇により構成されている。換気装置２６を作動させると、廊下１２側の空気が通気口２３を通じてトイレ１１に流れ込むとともに、その流れ込んだ空気がトイレ１１から開口部２５を通じて屋外へ排出される。つまり、この場合、トイレ１１内の換気が行われる。なお、換気装置２６は、基本的に常時作動している。
【００２９】
トイレ１１には、便器２８と、便器２８を洗浄する洗浄水が蓄えられる水タンク２９とが設けられている。便器２８は、水洗式の洋式便器となっており、水タンク２９内の洗浄水を用いて洗浄されるようになっている。便器２８は、ユーザが腰掛けて座るための便座２８ａを有している。便座２８ａは、温水によりユーザの肛門を洗浄する洗浄機能を有する温水洗浄便座となっている。
【００３０】
水タンク２９には、給水源としての給水管３１が接続されている。給水管３１は、水道管からなり、外壁部２４の内部に配設されている。水タンク２９には、この給水管３１を通じて水が供給され、その供給された水が洗浄水として水タンク２９に蓄えられる。
【００３１】
水タンク２９は、周知の構成からなるが、以下にその構成を簡単に説明する。水タンク２９には、その底部に排水孔２９ａが設けられている。排水孔２９ａは便器２８内に通じており、水タンク２９に蓄えられた洗浄水はこの排水孔２９ａを通じて便器２８に供給される。なお、便器２８に供給された洗浄水は、その後排水管３２を通じて便器２８から排出される。
【００３２】
排水孔２９ａには、フロートバルブ３３が設けられている。フロートバルブ３３は通常、排水孔２９ａを塞いだ状態で設けられており、その状態で水タンク２９内に洗浄水が蓄えられるようになっている。フロートバルブ３３は、鎖３４を介してレバー部３５に連結されている。レバー部３５は回動可能に設けられており、このレバー部３５の回動によりフロートバルブ３３が排水孔２９ａから持ち上げられ排水孔２９ａを開放する開放状態へ移行するようになっている。そして、この開放状態において水タンク２９から排水孔２９ａを通じて便器２８内に洗浄水が供給されるようになっている。
【００３３】
また、水タンク２９には、レバー部３５を回動駆動するレバー駆動部３６が設けられている。レバー駆動部３６は、例えば電動モータからなる。このレバー駆動部３６は、後述する操作装置４１による便器２８の水洗操作に基づいて駆動される。つまり、便器２８の水洗操作が行われると、レバー駆動部３６によりレバー部３５が回動駆動されて排水孔２９ａが開放状態とされ、それによりその排水孔２９ａから水タンク２９内の洗浄水が便器２８に供給されるようになっている。なお、この場合、水タンク２９やフロートバルブ３３、レバー駆動部３６等を含んで水供給手段が構成されている。
【００３４】
また、水タンク２９には、給水管３１に接続される接続部分に給水弁３７が設けられている。給水弁３７はボールタップからなる。この給水弁３７の開閉により、給水管３１から水タンク２９への水の供給及びその停止が切り替えられる。給水弁３７には、連結バー３８を介して浮玉３９が連結されている。浮玉３９は水タンク２９内に蓄えられた水（洗浄水）の量（水位）に連動して上下移動し、その浮玉３９の上下位置に基づいて給水弁３７が開閉される。具体的には、水タンク２９から便器２８に洗浄水が供給されて水タンク２９内の水位が下がると、それに連動して浮玉３９が下方へと移動する。この場合、給水弁３７が開いて給水管３１から水タンク２９に水が供給される。また、給水管３１から水タンク２９への給水により水タンク２９内の水位が上がると、それに連動して浮玉３９が上方へと移動する。これにより、浮玉３９が所定の高さまで上昇すると、給水弁３７が閉じて給水管３１から水タンク２９への給水が停止する。
【００３５】
トイレ１１には、便器２８の洗浄等の各種操作を行う操作装置４１が設けられている。操作装置４１は、トイレ１１の壁面に取り付けられている。操作装置４１は、便器２８の洗浄（水洗）を行うための水洗ボタン４１ａや、ユーザの肛門等を洗浄するための洗浄ボタン４１ｂ等を有している。なお、水洗ボタン４１ａが操作部に相当する。
【００３６】
続いて、ドア１６の下端部周辺の構成について図２及び図３に基づいて説明する。図２は、ドア１６の下部周辺を示す正面図であり、（ａ）が通気口２３が開放された状態を示し、（ｂ）が通気口２３が閉鎖された状態を示している。図３は、ドア１６の下端部周辺を拡大して示す縦断面図であり、（ａ）が通気口２３が開放された状態を示し、（ｂ）が通気口２３が閉鎖された状態を示している。
【００３７】
図２及び図３に示すように、ドア１６の下端部には、ドア１６の下端と床面２１との間の隙間２２を開閉する開閉体４３が設けられている。開閉体４３は、ドア１６（出入口１５）の幅と同じ長さを有する長尺材よりなり、樹脂材料により四角筒状に形成されている。開閉体４３は、ドア１６の下端において開放された収容溝４４に配設されている。収容溝４４は、ドア１６の幅方向に延びるように形成され、詳しくはドア１６の幅方向全域に亘って形成されている。開閉体４３は、その長手方向をドア１６の幅方向に向けた状態で収容溝４４に配設されている。なお、開閉体４３が開閉部材に相当する。
【００３８】
開閉体４３は、収容溝４４に配設されることで上記隙間２２を開放する開位置（図２（ａ）及び図３（ａ）参照）と、上記隙間２２に配設されることで当該隙間２２を閉鎖する閉位置（図２（ｂ）及び図３（ｂ）参照）との間で上下移動可能とされている。ここで、ドア１６が閉められている状態（ドア閉状態）では、上述したように、上記隙間２２が通気口２３とされるため、このドア閉状態で開閉体４３が開位置に配置されると、通気口２３が開放されて同通気口２３を通じてトイレ１１と廊下１２との間の通気が可能となる。その一方、ドア閉状態で開閉体４３が閉位置に配置されると、通気口２３が閉鎖され同通気口２３を通じたかかる通気が遮断される。
【００３９】
開閉体４３は、収容溝４４の上面（換言すると溝底面）に取り付けられたコイルばね４５により支持されている。コイルばね４５は、開閉体４３の長手方向に所定間隔（等間隔）で複数（具体的には５つ）設けられ、それら複数のコイルばね４５により開閉体４３が吊り下げ支持されている。各コイルばね４５は、その伸縮方向を上下方向に向けて配設され、上端部が収容溝４４の上面に取り付けられた取付プレート４６に固定され、下端部に開閉体４３が取り付けられている。なお、コイルばね４５が付勢部材に相当する。
【００４０】
開閉体４３は、コイルばね４５による上方（収容溝４４）へ向けた付勢力により収容溝４４に配設されており、換言すると開位置に配置されている。開位置では、開閉体４３全体が収容溝４４に収容される。
【００４１】
開閉体４３は、その内部に磁石４７（永久磁石）を有している。磁石４７は開閉体４３の長手方向に所定の間隔（等間隔）で複数（具体的には３つ）配置されている。その一方で、トイレ１１の床（床面２１下）には、複数（具体的には３つ）のソレノイド４９が埋設されている。これらのソレノイド４９はそれぞれ、各磁石４７の真下に配置されている。
【００４２】
各ソレノイド４９には、交流電源よりなる電源部５１が接続されている。この電源部５１により各ソレノイド４９が通電されると、各ソレノイド４９には電磁力が発生する。この場合、この電磁力により各磁石４７がソレノイド４９側すなわち下方へと吸引され、その結果開閉体４３がコイルばね４５による上側へ向けた付勢力に抗しながら閉位置（隙間２２）へと移動する。その一方、電源部５１による各ソレノイド４９への通電が停止されると、各ソレノイド４９に発生した電磁力が消滅する（消磁する）。これにより、開閉体４３はコイルばね４５の付勢力により開位置へと移動する（戻る）。なお、開閉体４３は通常開位置に位置している。
【００４３】
また、この場合、コイルばね４５やソレノイド４９、電源部５１等を含んで開閉駆動手段が構成されている。
【００４４】
次に、トイレ１１の通気制御を行うトイレ通気システムの電気的構成について説明する。図４は、トイレ通気システムの電気的構成を示す図である。
【００４５】
図４に示すように、建物１０には、コントローラ５０が設けられている。コントローラ５０は、ＣＰＵ等を有する周知のマイクロコンピュータを主体に構成されている。本実施形態では、コントローラ５０が操作装置４１に内蔵されている。なお、コントローラ５０が開閉制御手段、換気制御手段及び水供給制御手段に相当する。
【００４６】
コントローラ５０の入力側には、操作装置４１の水洗ボタン４１ａ及び洗浄ボタン４１ｂが接続されている。これらのボタン４１ａ，４１ｂが操作されると、コントローラ５０にはこれらのボタン４１ａ，４１ｂから操作信号が入力される。
【００４７】
コントローラ５０の出力側には、換気装置２６、電源部５１及びレバー駆動部３６が接続されている。コントローラ５０は、水洗ボタン４１ａからの操作信号に基づいて、これら各部材２６，３６，５１をそれぞれ駆動制御する。
【００４８】
ちなみに、コントローラ５０から各部材２６，３６，５１への駆動信号の送信は有線及び無線のいずれを用いて行ってもよい。無線で行う場合には、例えばコントローラ５０側に駆動信号を送信する送信部を設ける一方、各部材２６，３６，５１には送信部から送信される駆動信号を受信する受信部を設ける。そして、それら送信部及び受信部を介してコントローラ５０から各部材２６、３６，５１への信号の送信を行うことが考えられる。
【００４９】
次に、コントローラ５０により実行される通気制御処理の内容について図５を用いながら説明する。図５は、通気制御処理の内容を示すフローチャートである。なお、本処理は、所定の周期で繰り返し実行される。
【００５０】
図５に示すように、まずステップＳ１１では、トイレ１１を使用する居住者等のユーザにより操作装置４１の水洗ボタン４１ａが操作されたか否かを判定する。水洗ボタン４１ａが操作されていない場合には、本処理を終了する。水洗ボタン４１ａが操作された場合には、ステップＳ１２に進む。
【００５１】
ステップＳ１２では、電源部５１に通電信号を出力することで、同電源部５１によりソレノイド４９を通電させる。これにより、ソレノイド４９に電磁力が発生し、その電磁力により開閉体４３が吸引され閉位置へと移動する。このため、通気口２３が開閉体４３により閉鎖される。なお、本ステップＳ１２の処理が「閉鎖制御」に相当する。
【００５２】
続くステップＳ１３では、換気装置２６に対する駆動信号の出力を停止することで、換気装置２６の作動を停止させる。これにより、換気装置２６によるトイレ１１内の空気の屋外への排出が停止される。すなわち、換気装置２６によるトイレ１１内の換気が停止される。
【００５３】
ステップＳ１４では、タイマによる計時を開始する。続くステップＳ１５では、タイマによる計時を開始してからの経過時間が所定時間Ｔ１（図６参照）を経過したか否かを判定する。ここで、所定時間Ｔ１は、水洗ボタン４１ａが操作されてから開閉体４３が閉位置に移動するまでに要する時間よりも（十分）長い時間に設定されている。したがって、本判定は、要するに、ステップＳ１２の処理によって開閉体４３が閉位置に移行（移動）したか否かを判定するものとなっている。本ステップＳ１５において、タイマによる経過時間が所定時間Ｔ１を経過した場合にはステップＳ１６に進む。一方、タイマによる経過時間が所定時間Ｔ１を経過していない場合には、所定時間Ｔ１を経過するまで本判定を繰り返す。
【００５４】
ステップＳ１６では、便器２８の水洗を行う水洗処理を実行する。この処理では、レバー駆動部３６に駆動信号を出力することで、レバー部３５を回動させフロートバルブ３３を持ち上げる。これにより、水タンク２９の排水孔２９ａが開放され、同排水孔２９ａを通じて水タンク２９から洗浄水が便器２８に供給される。つまり、便器２８の水洗が行われる。この場合、開閉体４３により通気口２３が閉鎖された状態にあるため、水洗時の音が通気口２３を通じてトイレ１１の外に漏れ出るのを抑制できる。
【００５５】
ステップＳ１７では、タイマによる計時を開始する。続くステップＳ１８では、タイマによる計時を開始してからの経過時間が所定時間Ｔ２（図６参照）を経過したか否かを判定する。ここで、所定時間Ｔ２は、水タンク２９による便器２８への給水（便器２８の水洗）が開始されてから、当該給水に連動して始まる給水管３１から水タンク２９への給水が完了するまでに要する時間より（十分に）長い時間に設定されている。したがって、本判定は、要するに、給水管３１から水タンク２９への給水が完了したか否かを判定するものとなっている。本ステップＳ１８において、タイマによる経過時間が所定時間Ｔ２を経過した場合にはステップＳ１９に進む。一方、タイマによる経過時間が所定時間Ｔ２を経過していない場合には、所定時間Ｔ２を経過するまで本判定を繰り返す。
【００５６】
ステップＳ１９では、電源部５１に対する通電信号の出力を停止することで、電源部５１によるソレノイド４９への通電を停止する。これにより、ソレノイド４９が消磁するため、ソレノイド４９の磁力による開閉体４３の閉位置へ向けた吸引がなくなり、その結果開閉体４３がコイルばね４５の付勢力により開位置へと移動する。このため、通気口２３が開放され、通気口２３を通じたトイレ１１への通気が可能となる。
【００５７】
ステップＳ２０では、換気装置２６に駆動信号を出力することで、換気装置２６を作動させる。これにより、トイレ１１内の空気が換気装置２６により開口部２５を通じて排出される。つまり、トイレ１１内の換気が行われる。その後、本処理を終了する。
【００５８】
次に、本トイレ通気システムにより通気制御処理が行われる場合の作用について図６を用いながら説明する。図６は、かかる作用を説明するためのタイムチャートである。なお、以下では、居住者等のユーザがトイレ１１に入ってから退出するまでの間における一連の作用について説明する。
【００５９】
図６に示すように、タイミングｔ１よりも以前では、ソレノイド４９への通電が停止さて開閉体４３が開位置にある。つまり、通気口２３が開放された状態にある。また、換気装置２６が作動状態にあり、トイレ１１内が換気装置２６により換気された状態にある。タイミングｔ１において、居住者等のユーザがドア１６を開いてトイレ１１に入る。そして、ユーザはドア１６を閉め、便器２８に対して排便を行う。この際、トイレ１１内は換気された状態にあるため、トイレ１１内に臭いが滞留するのを抑制することができる。
【００６０】
その後タイミングｔ２において、ユーザは操作装置４１の水洗ボタン４１ａを操作する。このタイミングｔ２では、かかる水洗操作に基づいて、電源部５１によりソレノイド４９への通電が行われ、ソレノイド４９に発生する電磁力により開閉体４３が閉位置に向けて吸引される。これにより、その後のタイミングｔ３において開閉体４３が閉位置に移行し通気口２３が閉鎖される。また、タイミングｔ２では、換気装置２６の作動が停止され、これによりトイレ１１内の換気が停止する。
【００６１】
その後、タイミングｔ２（水洗操作時）から所定時間Ｔ１が経過した後のタイミングｔ４において、便器２８の水洗が開始される。すなわち、レバー駆動部３６によるレバー部３５の駆動によりフロートバルブ３３が排水孔２９ａから持ち上げられて、排水孔２９ａを通じて水タンク２９から便器２８への洗浄水の供給が開始される。この場合、通気口２３が開閉体４３により閉鎖されているため、水洗時の音が通気口２３を通じてトイレ１１の外に漏れ出るのを抑制することができる。
【００６２】
また、このタイミングｔ４において水タンク２９から便器２８への給水が開始されることで、水タンク２９内の水が減るため、それに連動して浮玉３９が下降し給水弁３７が開かれる。つまり、このタイミングｔ４又はｔ４よりも若干遅れたタイミングで給水管３１から水タンク２９への給水が開始される。この場合、上述したように、通気口２３が開閉体４３により閉鎖状態にあるため、水タンク２９への給水音がトイレ１１の外に漏れ出るのを抑制することができる。
【００６３】
その後、タイミングｔ５において、ユーザはドア１６を開いてトイレ１１から退出する。この場合、ユーザがドア１６を開動作すると、閉位置にある開閉体４３がソレノイド４９の真上位置から外れてソレノイド４９と上下に対向しない位置に位置することになる。そのため、開閉体４３（詳しくは磁石４７）に対してソレノイド４９の磁力が及ばなくなり、その結果開閉体４３がコイルばね４５の付勢力により開位置へと移動する。
【００６４】
また、ユーザはトイレ１１から退出後、タイミングｔ６においてドア１６を閉める。ドア１６を閉めると、開閉体４３は再びソレノイド４９の真上位置に配置されるため、開閉体４３がソレノイド４９の磁力により吸引され閉位置へと復帰（移動）する。つまり、この場合、ユーザがトイレ１１から退出すべく、ドア１６を開け閉めする際にだけ一時的に、開閉体４３が開位置に移動することになり、それによってかかるドア１６の開け閉めを円滑に行うことが可能となっている。
【００６５】
その後、タイミングｔ７において、給水管３１から水タンク２９への給水が終了（完了）し、その後のタイミングｔ８において（すなわちタイミングｔ４（便器２８の水洗開始時）から所定時間Ｔ２が経過した後のタイミングｔ８）において、電源部５１によるソレノイド４９への通電が停止される。これにより、ソレノイド４９が消磁して開閉体４３がコイルばね４５の付勢力により開位置へと移動する。そのため、通気口２３が開放された状態となる。
【００６６】
以上、詳述した本実施形態の構成によれば、以下の優れた効果が得られる。
【００６７】
水洗ボタン４１ａによる便器２８の水洗操作に基づいて、開閉体４３を（通気口２３を閉鎖する）閉位置に移動させるよう制御した。この場合、水洗操作が行われると、通気口２３が開閉体４３により閉鎖されるため、水洗時の音が通気口２３を通じてトイレ１１の外に漏れ出るのを抑制することができる。また、水洗操作をトリガとして通気口２３が閉鎖されるため、水洗操作前であるトイレ使用時（排便時）には通気口２３を開放しておくことができる。そのため、トイレ使用時にトイレ１１に臭いが滞留するのを抑制することができる。これにより、水洗時の音漏れを抑制しながら、トイレ１１を快適に使用することができる。
【００６８】
水洗ボタン４１ａによる水洗操作に基づいて、換気装置２６の作動を停止するよう制御した。この場合、水洗操作に基づいて開閉体４３が閉状態とされて（つまり通気口２３が閉鎖されて）トイレ１１内の換気を行うことができない状況であるにもかかわらず、換気装置２６を無駄に作動させてしまう不都合を回避することができる。そのため、省エネ効果を得ることができる。
【００６９】
また、通気口２３が閉鎖された状態で換気装置２６を作動させると、トイレ１１内が負圧になることが想定され、その場合ドア１６を開ける際に負荷がかかるおそれがある。また、トイレ１１内が負圧になると、ドア１６とドア枠１８との間の微小な隙間を通じて廊下１２の空気がトイレ１１内に入り込むおそれがあるため、その際風切り音が発生するおそれがある。この点、水洗ボタン４１ａによる水洗操作に基づいて、換気装置２６の作動を停止するようにしたことで、これらの不都合が生じるのを回避することができる。
【００７０】
水洗ボタン４１ａの水洗操作に基づき行われる開閉体４３を閉位置に移動させる上記の制御（閉鎖制御）によって、開閉体４３が閉位置に移動（移行）したか否か（換言すると開位置への移動が完了したか否か）を判定し（ステップＳ１５）、判定の結果、開閉体４３が閉位置に移動（移行）した場合に便器２８の水洗処理（ステップＳ１６）を開始するようにした。これにより、通気口２３を通じて水洗時の音がトイレ１１外に漏れてしまうのを確実に抑制することができる。
【００７１】
給水管３１から水タンク２９への給水が完了したか否かを判定し（ステップＳ１８）、その判定の結果水タンク２９への給水が完了した場合に、開閉体４３を開位置へと移動させるよう制御した（ステップＳ１９）。この場合、水タンク２９への給水が完了するまでは通気口２３が閉鎖された状態が維持されるため、水タンク２９への給水音がトイレ１１外に漏れ出るのを抑制することができる。
【００７２】
水洗ボタン４１ａの水洗操作に基づく上記閉鎖制御の実施時において、ドア１６が開動作されることで、開閉体４３とソレノイド４９とが上下に対向しない位置関係になって、ソレノイド４９の磁力が開閉体４３に及ばなくなることで、開閉体４３をコイルばね４５の付勢力により開位置に退避させるとともに、その後、ドア１６を閉状態（ドア閉状態）とすることによりソレノイド４９と開閉体４３とを上下に対向する位置関係にすることで、ソレノイド４９の磁力により開閉体４３を閉位置に復帰させるようにした。これにより、ユーザが水洗操作を行った後トイレ１１から退出すべくドア１６を開け閉めする際には、一時的に開閉体４３が開位置に退避されるため、かかるドア１６の開け閉めを円滑に行うことができる。
【００７３】
開閉体４３を床ではなくドア１６に設けたため、床側には開閉体４３を開位置に退避させるための収容溝等を設ける必要がない。この場合、床側の構成が煩雑となるのを抑制することができるため、床上を歩いてトイレ１１へ出入りする際に不都合が生じるのを抑制することができる。
【００７４】
本発明は上記実施形態に限らず、例えば次のように実施されてもよい。
【００７５】
（１）開閉体４３の開閉操作を行う開閉操作部を設けるようにしてもよい。この場合、開閉操作部を、操作装置４１に操作ボタンとして設けることが考えられる。かかる構成では、開閉操作部により開操作がされると、ソレノイド４９に対する通電が停止さされ、開閉体４３がコイルばね４５の付勢力により開位置へ移動する一方、開閉操作部により閉操作がされると、ソレノイド４９への通電が行われ、開閉体４３がソレノイド４９の電磁力により閉位置へと吸引される。
【００７６】
このような構成では、例えばユーザがトイレ１１に入って排便する前に、開閉操作部を閉操作することで開閉体４３を閉位置に移動させることができる。この場合、トイレ１１の使用中（排便中）において通気口２３を閉鎖しておくことができるため、水洗時の音だけでなくユーザの排便時の音についてもトイレ１１外に漏れ出るのを抑制することができる。ただ、トイレ１１の快適使用の観点からすれば、トイレ使用時には通気口２３を開放し通気を行うのが望ましい。
【００７７】
（２）上記実施形態では、開閉体４３が閉位置に移行したか否かを判定し（ステップＳ１５）、判定の結果、開閉体４３の閉位置への移行が判定された場合に、便器２８の水洗処理（ステップＳ１６）を実施するようにしたが、上記の判定ステップＳ１５をなくして、単に水洗ボタン４１ａの水洗操作に基づき水洗処理を実施するようにしてもよい。この場合にも、水洗時の音漏れを抑制することができる。
【００７８】
（３）上記実施形態では、ドア１６が開動作されることでソレノイド４９の電磁力が開閉体４３に及ばなくなることで開閉体４３をコイルばね４５の付勢力により開位置へと退避させ、その後ドア１６が閉状態とされることでソレノイド４９の電磁力により開閉体４３を閉位置へと復帰させるようにした。しかしながら、ドア１６の開閉に際し開閉体４３を一時的に開位置に退避させるための手段（退避手段）は必ずしもこれに限らない。
【００７９】
例えば、ドア１６の開閉状態を検知する開閉検知センサを設け、同センサによりドア１６が開かれたことが検知された場合にソレノイド４９への通電を停止して開閉体４３をコイルばね４５の付勢力により開位置に退避させ、その後同センサによりドア１６が閉められたことが検知された場合にソレノイド４９への通電を実施しソレノイド４９の電磁力により開閉体４３を閉位置へ復帰させる手段（退避手段）が考えられる。
【００８０】
（４）上記実施形態では、開閉体４３をドア１６に設けたが、開閉体４３を床に設けてもよい。その場合の具体例を図７（ａ）及び（ｂ）に示す。なお、図７では、（ａ）が通気口２３が開放された状態を示しており、（ｂ）が通気口２３が閉鎖された状態を示している。図７（ａ）及び（ｂ）に示す例では、床側に開閉体４３を収容する収容溝５３が形成されており、その収容溝５３が床面２１にて開口している。開閉体４３は、収容溝５３に配設されることで通気口２３（隙間２２）を開放する開位置（図７（ａ）の状態）と、通気口２３（隙間２２）に配設されることで当該通気口２３を閉鎖する閉位置（図７（ｂ）の状態）との間で上下移動可能とされている。また、コイルばね４５（及び取付プレート４６）は床側に埋設されており、そのコイルばね４５の付勢力により開閉体４３が開位置（下側）に付勢されている。この場合、開閉体４３は上記の付勢力により通常開位置に位置している。そして、ソレノイド４９への通電が行われると、ソレノイド４９と開閉体４３（詳しくは磁石４７）との間には斥力（反発力）が発生する。この場合、その斥力によって開閉体４３がコイルばね４５による付勢力に抗しながら閉位置（上側）へと移動する。したがって、上記の構成においても、通気口２３を開閉体４３により開閉制御することが可能である。
【００８１】
また、上記図７の例において、ソレノイド４９を床側に設けることに代えて、ドア１６側（詳しくは開閉体４３の真上位置）に設けてもよい。その場合、ソレノイド４９への通電により、ソレノイド４９に開閉体４３（磁石４７）を閉位置（上側）に吸引する吸引力を発生させればよい。そうすれば、その吸引力により開閉体４３をコイルばね４５の下側へ向けた付勢力に抗しつつ、閉位置へと移動させることができる。但し、ソレノイド４９の電源（電源部５１）の取り易さの観点からすると、上記図７の例や上記実施形態のように、ソレノイド４９を床側に設けるのが望ましい。
【００８２】
（５）上記実施形態では、開閉体４３を開閉駆動する開閉駆動手段をコイルばね４５やソレノイド４９を含んで構成したが、開閉駆動手段の構成は必ずしもこれに限らない。例えば、開閉駆動手段を電動モータを含んで構成してもよい。
【００８３】
（６）上記実施形態では、開閉体４３を上下移動することで通気口２３（隙間２２）を開閉する構成としたが、隙間２２を開閉するための構成は必ずしもこれに限らない。例えば、開閉体をドア１６に対して回動可能に設け、その回動により隙間２２を開閉することが考えられる。具体的には、板状の開閉体をドア１６の下端部に回動可能に設け、その開閉体を、ドア１６の板面に重ねられて隙間２２を開放する開位置と、隙間２２に配置されて当該隙間２２を閉鎖する閉位置との間で回動可能とすることが考えられる。ちなみに、この場合には、開閉体を電動モータ等の開閉駆動手段により回動駆動（開閉駆動）することが考えられる。
【００８４】
（７）上記実施形態では、水洗ボタン４１ａの操作に基づいて、換気装置２６の作動を停止するようにしたが、換気装置２６の作動を停止しないようにしてもよい。ただし、省エネ性の観点からすれば、換気装置２６の作動を停止するのが望ましい。
【００８５】
（８）上記実施形態では、ドア１６の下端と床面２１との間の隙間２２を通気口２３としたが、例えばドア１６に通気用の開口部を形成しそれを通気口とすることも考えられる。このような場合には、例えばその開口部に通気ガラリ（開閉部材に相当）を配設し、その通気ガラリにより開口部を開閉するようにする。例えば通気ガラリを、複数のスラットを並べて設けることで構成し、それらのスラットを開閉動作することで開口部を開閉することが考えられる。これらのスラットは、例えば電動モータよりなる開閉駆動手段により開閉駆動される。このような構成においても、上述した本発明のトイレ通気システムを適用することが可能である。
【００８６】
ちなみに、上記実施形態では、ドア１６（開閉扉に相当）が開き戸であったが、開閉扉として引き戸が用いられることもある。引き戸の場合、その下端と床面との間に隙間を確保するのが難しいため、この場合には上述の通気ガラリを用いた構成を採用するのが望ましい。
【００８７】
（９）上記実施形態では、水タンク２９に蓄えられた洗浄水を利用して便器２８を水洗する構成、すなわちタンク式の水洗便器に対して本発明を適用したが、タンクレスの水洗便器に本発明を適用してもよい。
【００８８】
また、上記実施形態では、便座２８ａを有する腰掛け式の洋式便器２８に本発明を適用したが、便座のない小便器等、他の水洗便器に本発明を適用してもよい。
【００８９】
（１０）上記実施形態では、便器２８が１つだけ設置されたいわゆる個室トイレ１１に本発明を適用したが、便器（例えば小便器）が複数設置された公共トイレ（公衆トイレ）等に本発明を適用してもよい。
【符号の説明】
【００９０】
１０…建物、１１…トイレ、１２…隣室としての廊下、１５…出入口、１６…開閉扉としてのドア、２１…床面、２２…隙間、２３…通気口、２６…換気装置、２８…便器、２９…水タンク、３１…給水源としての給水管、４１ａ…操作部としての水洗ボタン、４３…開閉部材としての開閉体、４５…付勢部材としてのコイルばね、４９…ソレノイド、５０…開閉制御手段、換気制御手段及び水供給制御手段としてのコントローラ。
【図１】
2016211201.tif 000003
【図２】
2016211201.tif 000004
【図３】
2016211201.tif 000005
【図４】
2016211201.tif 000006
【図５】
2016211201.tif 000007
【図６】
2016211201.tif 000008
【図７】
2016211201.tif 000009